(57)【要約】【課題】感電の畏れなく安全に、多種の液剤を供給し得るようにしたシャワーシステムを提供する。【解決手段】可撓性ホース７２に接続して湯水を散布するハンド式のシャワーヘッド５４に、単一の液剤供給ノズル６０の開口部６０ａを臨ませる。また、所望の液剤を供給させるための各種操作指令を選択する操作選択ボタン６２と、選択された各種操作指令を発信するリモコン発信部６４とをシャワーヘッド５４に配設する。更に、レバー９８をシャワーヘッド５４に回動自在に設けると共に、このレバー９８を手で握ることで発電して、リモコン発信部６４への電力供給源となる発電部をシャワーヘッド５４の内部に設ける。リモコン発信部６４から送信された各種操作指令は、シャワーヘッド５４とは別の個所に設けられたリモコン受信部が受信し、該リモコン受信部が所望の液剤を供給させるための制御手段に該操作指令を送る。【選択図】図１
2006239017.tif 000002
【特許請求の範囲】
【請求項１】
可撓性ホース(72)に接続して湯水を散布するハンド式のシャワーヘッド(54)と、該シャワーヘッド(54)に開口部(60a)を臨ませた単一の液剤供給ノズル(60)と、前記シャワーヘッド(54)に設けられ、各種操作指令を選択して前記液剤供給ノズル(60)から所望の液剤を供給させる操作選択手段(62)とを備えたシャワーシステムにおいて、
前記シャワーヘッド(54)に設けられ、前記操作選択手段(62)により選択された各種操作指令を発信するリモコン発信部(64)と、
前記リモコン発信部(64)から発信された各種操作指令を受信して、前記所望の液剤を供給させるための制御手段(80)に該操作指令を送るリモコン受信部(82)と、
前記シャワーヘッド(54)に往復動可能に配設した往復動部材(98)と、
前記シャワーヘッド(54)の内部に配設され、前記往復動部材(98)を手で握る操作を反復することで回転されて発電を行なう発電部(100)とからなり、
前記発電部(100)をリモコン発信部(64)への電力供給源とした
ことを特徴とするシャワーシステム。
【請求項２】
可撓性ホース(72)に接続して湯水を散布するハンド式のシャワーヘッド(54)と、
このシャワーヘッド(54)に開口部(60a)を臨ませた単一の液剤供給ノズル(60)と、
前記可撓性ホース(72)の内部に収納されて、前記液剤供給ノズル(60)に一端部が連通接続すると共に、他端部が所要数の液剤吸入管(74,74)に分岐的に連通する液剤供給管(68)と、
前記液剤吸入管(74,74)の夫々に個別に連通し、所望の液剤が貯留される複数の液剤貯留タンク(42,42)と、
前記液剤供給管(68)と液剤吸入管(74,74)との分岐部に設けられ、前記夫々の液剤貯留タンク(42,42)に接続している各対応の液剤吸入管(74)と該液剤供給管(68)との連通を選択的に切り替える切替弁(76)と、
前記液剤供給管(68)の途中に設けられ、前記切替弁(76)で切り替えられて連通する側の液剤吸入管(74)から液剤貯留タンク(42)中の液剤を吸引して該液剤供給管(68)に供給するポンプ(78)と、
前記切替弁(76)およびポンプ(78)に各種操作指令を個別に与える制御手段(80)と、
前記シャワーヘッド(54)に設けられ、各種操作指令を選択して前記液剤供給ノズル(60)から所望の液剤を供給させる操作選択手段(62)と、
前記シャワーヘッド(54)に設けられ、前記操作選択手段(62)により選択された各種操作指令を発信するリモコン発信部(64)と、
前記シャワーヘッド(54)とは別の個所に配設され、前記リモコン発信部(64)から発信された各種操作指令を受信して、前記制御手段(80)に該操作指令を送るリモコン受信部(82)と、
前記シャワーヘッド(54)に往復動可能に配設した往復動部材(98)と、
前記シャワーヘッド(54)の内部に配設され、前記往復動部材(98)を手で握る操作を反復することで回転されて発電を行なう発電部(100)とからなり、
前記発電部(100)をリモコン発信部(64)への電力供給源とした
ことを特徴とするシャワーシステム。
【請求項３】
前記往復動部材(98)と発電部(100)との間に、該往復動部材(98)の一方向への動きを一方向への回転に変換する歯車列(66)が介挿されている請求項１または２記載のシャワーシステム。
【請求項４】
前記シャワーヘッド(54)の内部に充電部(70)が設けられ、前記発電部(100)で生じた電気を該充電部(70)に充電するようにした請求項１〜３の何れかに記載のシャワーシステム。
【請求項５】
前記往復動部材(98)は、一端が前記シャワーヘッド(54)に回動自在に軸支されて、該シャワーヘッド(54)から斜めに延出するレバーである請求項１〜４の何れかに記載のシャワーシステム。
【請求項６】
前記操作選択手段(62)は、前記液剤貯留タンク(42,42)の配設数に応じた数の操作選択ボタンで構成される請求項２〜５の何れかに記載のシャワーシステム。
【請求項７】
前記操作選択手段(62)は、前記液剤貯留タンク(42,42)の配設数に応じた切替接点を有する操作選択スイッチとして構成される請求項２〜５の何れかに記載のシャワーシステム。
【請求項８】
前記可撓性ホース(72)に接続して湯水を供給する湯水供給管(52)から分岐した洗浄水供給管(86)を、洗浄弁(84)を介して前記液剤供給管(68)に接続し、異なる種類の液剤を使用するに先立ち該洗浄弁(84)を開放することで、前記湯水供給管(52)からの湯水を前記液剤供給ノズル(60)に供給してノズル洗浄を行なう請求項２〜７の何れかに記載のシャワーシステム。
【請求項９】
前記複数の液剤貯留タンク(42,42)、切替弁(76)、ポンプ(78)および制御手段(80)を１個所に集中配置すると共に、前記ポンプ(78)と多数のシャワーヘッド(54,54)における各液剤供給ノズル(60)とを接続する液剤供給管(68,68)の夫々に、各種操作指令に応じて該液剤供給管(68,68)を開閉させる開閉弁(96,96)を設け、前記夫々の液剤供給ノズル(60,60)から所望の液剤を供給し得るようにした請求項２〜８の何れかに記載のシャワーシステム。
【発明の詳細な説明】
【技術分野】
【０００１】
この発明は、シャワーシステムに関し、更に詳細には、一般家庭や理容店、その他、公衆浴場、宿泊施設等の浴室や洗面所に配設されて、シャワーヘッドから各種の液剤を選択的に供給し得るシャワーシステムに関するものである。
【背景技術】
【０００２】
浴室や洗面所等に配設されるシャワーシステムに関して、例えば、シャワーヘッドの液剤噴射口から各種の液剤を選択的に供給し得るようにしたものがある(特許文献1)。図７は、このシャワーシステム１０を示す概略図であって、湯水を供給するシャワーヘッド１２に、液剤の供給を行なう液剤噴射口１４と、液剤選択を行なう液剤選択ボタン１６とが配設されている。液剤選択ボタン１６は、例えば、シャンプー用ボタン１６ａ、リンス用ボタン１６ｂおよびボディーソープ用ボタン１６ｃから構成されている。そして、図８に示すように、これらのボタンによってシャワーヘッド１２に内蔵した開閉バルブ１８,１８を開閉し得るよう構成されている。
【０００３】
また、各種の液剤が貯留される液剤容器２０は、内部に複数の収納部２０ａ,２０ａが画成されると共に、液剤容器２０の内部を加圧する電動式の加圧ポンプ２２が接続されている。更に、各収納部２０ａの底部には、各液剤をシャワーヘッド１２へ送出する液剤供給管２４,２４が夫々接続され、図７に示すように、これらの液剤供給管２４,２４はシャワーホース２６の内部に収納される。そして、図８に示すように、これらの液剤供給管２４,２４は互いに１箇所で接続して、液剤噴射口１４に連通している。
【０００４】
このシャワーシステム１０を起動させると、加圧ポンプ２２により液剤容器２０の収納部２０ａ,２０ａが加圧されて各液剤が押し出され、液剤は液剤供給管２４,２４を介してシャワーヘッド１２内の開閉バルブ１８,１８まで到来する。そして、液剤選択ボタン１６の１つを押すと対応の開閉バルブ１８が開放し、加圧状態下にある液剤は液剤噴射口１４から押し出される。
【０００５】
また、シャワーシステム１０に類似するものとして、特許文献２に示す「湯水供給装置」がある。この湯水供給装置は、洗面台等に設けられた吐出しノズルから、各種の液剤を選択的に供給し得るようにしたものであって、特許文献１と同様、各種液剤は加圧ポンプによってタンクから押し出される。この吐出しノズルの頂部には、液剤を選択するための液剤選択ボタンが配設され、該ボタンは電気コード等により洗面台上の制御部に接続されている。そして、液剤選択ボタンを押すことで、液剤の選択指令が電気コードを介して制御部に送られて、選択された液剤に対応するバルブを開放させるようになっている。
【０００６】
このように、特許文献１のシャワーシステム１０や特許文献２の湯水供給装置によれば、液剤選択ボタンを押すだけで所望の液剤をシャワーヘッド１２や吐出しノズルから供給し得るので、使用者は洗髪等の度に、液剤が入ったボトルを取り出す手間が解消される。
【特許文献１】特開平６−６２９７２号公報
【特許文献２】実用新案登録第２５８７８５２号公報
【発明の開示】
【発明が解決しようとする課題】
【０００７】
しかしながら、特許文献１のシャワーシステム１０および特許文献２の湯水供給装置は、夫々、以下のような欠点を内在している。特許文献１のシャワーシステム１０については、例えば、前述の液剤に加えて、更にシェービングクリームや洗顔剤等を供給できるようにしたい場合、シャワーホース２６に収納する液剤供給管２４,２４の数も増やさなければならない。従って、シャワーホース２６内の液剤供給管２４の数が多くなると、ホース内部が圧迫されて湯水や液剤の流通抵抗が高くなったり、シャワーホース２６の柔軟性が失われて使用感が損なわれたりしてしまう。
【０００８】
また、特許文献２の湯水供給装置については、前述のように、液剤の選択指令は電気コードを介して制御部へ送られるようになっている。しかしながら、吐出しノズルの頂部に設けられた液剤選択ボタンと洗面台上の制御部とを電気コード等で結線することは、仮に低電圧であるとしても、湯水の使用環境下では感電の畏れがあり回避すべきである。また、特許文献２の湯水供給装置は、タンク内が所定の加圧状態に維持されるよう、加圧ポンプは常に制御部によって作動制御されているので、電気代が高騰する難点がある。
【０００９】
そこで本発明は、従来のシャワーシステムに内在する前記問題に鑑み、これらを好適に解決するべく提案されたものであって、感電の畏れなく安全に、多種の液剤を供給し得るシャワーシステムを提供することを目的とする。
【課題を解決するための手段】
【００１０】
前記課題を克服し、所期の目的を達成するため、請求項１に係るシャワーシステムは、
可撓性ホースに接続して湯水を散布するハンド式のシャワーヘッドと、該シャワーヘッドに開口部を臨ませた単一の液剤供給ノズルと、前記シャワーヘッドに設けられ、各種操作指令を選択して前記液剤供給ノズルから所望の液剤を供給させる操作選択手段とを備えたシャワーシステムにおいて、
前記シャワーヘッドに設けられ、前記操作選択手段により選択された各種操作指令を発信するリモコン発信部と、
前記リモコン発信部から発信された各種操作指令を受信して、前記所望の液剤を供給させるための制御手段に該操作指令を送るリモコン受信部と、
前記シャワーヘッドに往復動可能に配設した往復動部材と、
前記シャワーヘッドの内部に配設され、前記往復動部材を手で握る操作を反復することで回転されて発電を行なう発電部とからなり、
前記発電部をリモコン発信部への電力供給源としたことを特徴とする。
【００１１】
請求項１に係るシャワーシステムによれば、操作選択手段によって選択された各種の操作指令は、リモコン発信部からリモコン受信部へ無線送信されるので、操作選択手段と制御手段とを結ぶ電気配線を施す必要がない。従って、使用者は、感電の畏れがなく安心して使用することができる。また、シャワーヘッドにリモコン発信部の電力供給源となる発電部を設けたので、外部電源からリモコン発信部へ電力を供給する必要がなく、これらを結ぶ電気配線を施す必要もない。更に、この発電部は、往復動部材を手で握る操作を反復することで発電するので、使用者はシャワーヘッドを持ったまま、片手で容易に発電することが可能となる。
【００１２】
また、同じく前記課題を克服し、所期の目的を達成するため、本願の請求項２に係るシャワーシステムは、
可撓性ホースに接続して湯水を散布するハンド式のシャワーヘッドと、
このシャワーヘッドに開口部を臨ませた単一の液剤供給ノズルと、
前記可撓性ホースの内部に収納されて、前記液剤供給ノズルに一端部が連通接続すると共に、他端部が所要数の液剤吸入管に分岐的に連通する液剤供給管と、
前記液剤吸入管の夫々に個別に連通し、所望の液剤が貯留される複数の液剤貯留タンクと、
前記液剤供給管と液剤吸入管との分岐部に設けられ、前記夫々の液剤貯留タンクに接続している各対応の液剤吸入管と該液剤供給管との連通を選択的に切り替える切替弁と、
前記液剤供給管の途中に設けられ、前記切替弁で切り替えられて連通する側の液剤吸入管から液剤貯留タンク中の液剤を吸引して該液剤供給管に供給するポンプと、
前記切替弁およびポンプに各種操作指令を個別に与える制御手段と、
前記シャワーヘッドに設けられ、各種操作指令を選択して前記液剤供給ノズルから所望の液剤を供給させる操作選択手段と、
前記シャワーヘッドに設けられ、前記操作選択手段により選択された各種操作指令を発信するリモコン発信部と、
前記シャワーヘッドとは別の個所に配設され、前記リモコン発信部から発信された各種操作指令を受信して、前記制御手段に該操作指令を送るリモコン受信部と、
前記シャワーヘッドに往復動可能に配設した往復動部材と、
前記シャワーヘッドの内部に配設され、前記往復動部材を手で握る操作を反復することで回転されて発電を行なう発電部とからなり、
前記発電部をリモコン発信部への電力供給源としたことを特徴とする。
【００１３】
請求項２に係る発明によれば、請求項１の効果に加えて、液剤の供給時にのみポンプ等を作動させるので、電気代等のランニングコストが嵩むことがない。また、液剤供給管は可撓性ホースの内部に収納されるので、液剤供給管が邪魔になることがない。また、可撓性ホースに収納される液剤供給管の数は液剤の種類に拘わらず１つなので、液剤の種類をいくらでも増やすことが可能となる。
【００１４】
また、本願の請求項３に係るシャワーシステムは、請求項１または２に記載のシャワーシステムにおいて、
前記往復動部材と発電部との間に、該往復動部材の一方向への動きを一方向への回転に変換する歯車列が介挿されていることを特徴とする。
【００１５】
請求項３に係る発明によれば、歯車列が往復動部材の一方向への動きを一方向への回転に変換させて、発電部に発電させることが可能となる。
【００１６】
また、本願の請求項４に係るシャワーシステムは、請求項１〜３の何れかに記載のシャワーシステムにおいて、
前記シャワーヘッドの内部に充電部が設けられ、前記発電部で生じた電気を該充電部に充電するようにしたことを特徴とする。
【００１７】
請求項４に係る発明によれば、シャワーヘッド内部に、発電部で生じた電気を充電する充電部を設けたので、リモコン発信部に電力を安定的に供給することが可能となり、リモコン発信部を作動させる度に発電を行なう必要もない。
【００１８】
また、本願の請求項５に係るシャワーシステムによれば、請求項１〜４の何れかに記載のシャワーシステムにおいて、
前記往復動部材は、一端が前記シャワーヘッドに回動自在に軸支されて、該シャワーヘッドから斜めに延出するレバーであることを特徴とする。
【００１９】
請求項５に係る発明によれば、レバーを回動させて発電を行なうことが可能となる。
【００２０】
また、本願の請求項６に係るシャワーシステムは、請求項２〜５の何れかに記載のシャワーシステムにおいて、
前記操作選択手段は、前記液剤貯留タンクの配設数に応じた数の操作選択ボタンで構成されたことを特徴とする。
【００２１】
請求項６に係る発明によれば、操作選択ボタンを押すだけで各種操作指令を選択し得るので、該操作指令の選択を片手で容易に行ない得る。
【００２２】
また、本願の請求項７に係るシャワーシステムは、請求項２〜５の何れかに記載のシャワーシステムにおいて、
前記操作選択手段は、前記液剤貯留タンクの配設数に応じた切替接点を有する操作選択スイッチとして構成されることを特徴とする。
【００２３】
請求項７に係る発明によれば、操作選択スイッチを捻るだけで各種操作指令を選択し得るので、該操作指令の選択を容易に行ない得る。
【００２４】
また、本願の請求項８に係るシャワーシステムは、請求項２〜７の何れかに記載のシャワーシステムにおいて、
前記可撓性ホースに接続して湯水を供給する湯水供給管から分岐した洗浄水供給管を、洗浄弁を介して前記液剤供給管に接続し、異なる種類の液剤を使用するに先立ち該洗浄弁を開放することで、前記湯水供給管からの湯水を前記液剤供給ノズルに供給してノズル洗浄を行なうことを特徴とする。
【００２５】
請求項８に係る発明によれば、異なる種類の液剤を使用するに先立ち、液剤供給ノズルに湯水を供給してノズル洗浄を行なうようにしたので、液剤供給ノズル内に残留した液剤が混ざって供給されることを防止し得る。
【００２６】
また、本願の請求項９に係るシャワーシステムは、請求項２〜８の何れかに記載のシャワーシステムにおいて、
前記複数の液剤貯留タンク、切替弁、ポンプおよび制御手段を１個所に集中配置すると共に、前記ポンプと多数のシャワーヘッドにおける各液剤供給ノズルとを接続する液剤供給管の夫々に、各種操作指令に応じて該液剤供給管を開閉させる開閉弁を設け、前記夫々の液剤供給ノズルから所望の液剤を供給し得るようにしたことを特徴とする。
【００２７】
請求項９に係る発明によれば、各液剤供給ノズルには共通の液剤貯留タンク等から液剤が供給されるので、各ノズルが液剤貯留タンク等を共有して効率的となり、敷設コストも低廉となる。また、液剤貯留タンクへの液剤の補給・交換作業も効率的に行ない得る。
【発明の効果】
【００２８】
すなわち、本発明に係るシャワーシステムによれば、感電の畏れなく安全に、多種の液剤を供給することが可能となる。
【発明を実施するための最良の形態】
【００２９】
次に、本発明に係るシャワーシステムにつき、好適な実施例を挙げて、添付図面を参照して以下に説明する。
【実施例１】
【００３０】
実施例１では、一般家庭の浴室に本発明のシャワーシステムを配設した場合を示す。但し、本シャワーシステムは、家庭の洗面所や宿泊施設、公衆浴場、理容店等、従来シャワーが使用されてきた場所、あるいはシャワーが設置可能な場所であれば、何れの場所に設置してもよい。
【００３１】
図２は、実施例１に係るシャワーシステム３０が設置された浴室３２を示す概略平面図であって、矩形状に画成された浴室３２内には、浴槽３４と、該浴槽３４に併設した洗い場３６とが設けられている。洗い場３６には、所要高さを有した台部３８が設けられており、湯水の供給を行なう蛇口４０が該台部３８上に配設されている。この台部３８の内部には、図３に示すように、後述する液剤貯留タンク４２,４２等を収納し得るよう所要のスペースが画成されている。また、扉４６によって開閉可能に閉成される開口３８ａが、台部３８の前面に開設されている。なお、図２における符号４８は浴室用のイスを、符号５０は浴槽３４内へ湯水を供給する浴槽用の蛇口を夫々示している。
【００３２】
台部３８上に設けられた蛇口４０は、浴室３２の外部に設けられた水道系およびボイラー(何れも図示せず)と接続した湯水供給管５２と連通しており、湯水を選択的に供給し得るようになっている。また、蛇口４０の後方から可撓性ホース７２が導出し、この可撓性ホース７２の端部はハンド式のシャワーヘッド５４に連通接続されている。
【００３３】
図１および図４に示すように、シャワーヘッド５４は、複数の放水孔５６ａが開設された放水部５６と、使用者によって把持される把持部５８とから形成されている。この把持部５８における放水部５６が臨む側(表面側)には、液剤を供給する液剤供給ノズル６０が設けられている。また、シャワーヘッド５４の裏側(背面側)に、液剤選択等の各種操作を行なう操作選択ボタン(操作選択手段)６２と、各種の操作指令を発信するリモコン発信部６４と、発電用のレバー(往復動部材)９８とが配設されている。更に、図５に示すように、シャワーヘッド５４の内部には、発電を行なう発電部１００と、該発電部１００を一方向へ回転させる歯車列６６と、発電部１００で生じた電気を充電する充電部７０とが設けられている。
【００３４】
シャワーヘッド５４の表面側から開口部６０ａが臨むよう配設される単一の液剤供給ノズル６０は、図４に示すように、シャワーヘッド５４の内部で後述の液剤供給管６８と連通して、各種の液剤が供給されるよう構成されている。但し、液剤供給ノズル６０の配設位置は、実施例１に限定される訳でなく、例えば、前記放水部５６に設けたり、シャワーヘッド５４の背面側に設けるようにしてもよい。
【００３５】
シャワーヘッド５４の背面側には、液剤供給ノズル６０から所望の液剤を供給させるための各種操作指令を選択する操作選択手段６２が配設されている。実施例１では、操作選択手段６２として、液剤貯留タンク４２,４２の配設数に応じた数の操作選択ボタン(操作選択ボタンＡ〜Ｃ)で構成されている。すなわち、使用者が望む液剤と対応した操作選択ボタンＡ〜Ｃ６２を押すことで液剤選択がなされると共に、押した長さに応じた量の液剤が供給されるようになっている。従って、実施例１における操作選択ボタン６２は、液剤の選択、供給および供給量を選択し得るようになっている。しかしながら、操作選択ボタン６２が有する機能、すなわち各種操作指令の内容については、実施例１に限定される訳ではない。例えば、操作選択ボタン６２には液剤選択のみの機能を持たせ、液剤の供給開始については、供給開始ボタン等を別途シャワーヘッド５４に設けて行なうようにしてもよい。また、レバー９８に液剤の供給を開始させる機能を持たせて、液剤を供給する度に発電もし得るようにしてもよい。更に、液剤の供給量を調節する供給量調節手段をシャワーヘッド５４に配設することで、操作選択ボタン６２を押すだけで所定量の液剤が供給されるようにすることも可能である。なお、操作選択ボタン６２を使用者が誤って触れてしまった場合に作動しないよう、誤動作防止機能を設けることも可能である。また、操作選択ボタン６２で選択された操作指令は、後述するように、リモコン発信部６４等を介して制御手段８０へ送られる。
【００３６】
シャワーヘッド５４の背面側に設けられたリモコン発信部６４は、操作選択ボタン６２により選択された各種操作指令を後述のリモコン受信部８２へ無線送信するよう構成されている。すなわち、使用者が操作選択ボタン６２の何れかを押すことで操作指令(すなわち、液剤の選択・供給の開始・押した時間に応じた供給量)が選択される。そして、この操作指令は、リモコン発信部６４からリモコン受信部８２へ無線送信されるようになっている。なお、このリモコン発信部６４の具体例としては、赤外線リモコンや電磁波リモコン等、従来公知のリモコン発信器を使用し得る。また、リモコン発信部６４をシャワーヘッド５４に設ける位置については、必ずしも実施例１の如くシャワーヘッド５４の背面側に設ける必要はなく、シャワーヘッド５４の適宜の箇所に設ければよい。
【００３７】
前記シャワーヘッド５４の背面側には、一端が回動自在(往復動自在)に軸支されて、シャワーヘッド５４から斜めに延出するレバー９８が設けられている。
このレバー９８は、バネ等の付勢手段(図示せず)によって、常には、シャワーヘッド５４に対して所要角度傾斜した状態にあり、使用者が手で握ることで回動されるようになっている。また、レバー９８には複数の歯が形成されたラック状部材９８ａが延出成形されており、シャワーヘッド５４内へ挿入して後述の歯車列６６と係合するよう構成される。すなわち、使用者がレバー９８を手で握り、シャワーヘッド５４側へ回動させる(一方向への動き)ことで、前記ラック状部材９８ａがシャワーヘッド５４の内部へ侵入し、歯車列６６を回転させるようになっている。そして、使用者がレバー９８を開放させると、レバー９８は自動的に復帰して、シャワーヘッド５４に対して所要角度傾斜した状態に戻される。
【００３８】
レバー９８の一方向への動きを一方向への回転に変換する歯車列６６は、図５に示すように、シャワーヘッド５４の内部に画成されて防水加工が施された収納スペース１０８に発電部１００および充電部７０と共に収納されている。この歯車列６６は、歯車１０２とワンウェイクラッチ１０６とから構成されて、レバー９８と発電部１００との間に介挿される。歯車１０２は、ラック状部材９８ａと係合する小径の第１歯車１０２ａと、第１歯車１０２ａよりも大径の第２歯車１０２ｂとが一体成形されたものである。そして、レバー９８を手で握り、ラック状部材９８ａをシャワーヘッド５４内へ侵入させることで、第１歯車１０２ａが回転され、これに伴い第２歯車１０２ｂが回転するようになっている。
【００３９】
ワンウェイクラッチ１０６は、第２歯車１０２ｂと係合して両方向に回転可能な内輪１０６ａと、一方向にのみ回転可能な外輪１０６ｂとから構成されている。そして、図５における矢印が示すように、レバー９８をシャワーヘッド５４側へ回動させると、外輪１０６ｂは内輪１０６ａと共に一方向へのみ回転して、発電部１００の回転子１００ａ(後述)を回転させるようになっている。また、レバー９８の復帰時には、内輪１０６ａだけが回転して、外輪１０６ｂは回転しないようになっている。なお、以上に示した歯車列６６については、実施例１に限定される訳ではなく、従来公知の歯車機構を採用可能である。また、この歯車列６６は、レバー９８による回転を増幅させて、発電部１００に伝える回転増幅機能も備えている。
【００４０】
レバー９８を手で握る操作を反復することで回転されて発電を行ない、リモコン発信部６４への電力供給源となる発電部１００は、磁石が設けられた回転子１００ａと、コイルが設けられた固定子１００ｂとから構成されている。回転子１００ａは、ワンウェイクラッチ１０６の外輪１０６ｂと係合する小型ギア１００ｃが一体成型されており、外輪１０６ｂによって回転子１００ａは一方向のみに回転される。また、この回転子１００ａは所要の重さが付与されて、トルクが増大するよう設定されている。そして、回転子１００ａが回転することで、固定子１００ｂとの間に電磁誘導が起こり、リモコン発信部６４の作動電力となる電気が発生するようになっている。なお、固定子１００ｂは、後述の充電部７０と電気的に接続されており、発電部１００で発生した電気はこの充電部７０に送られる。以上に示したように、実施例１に係る発電部１００は、レバー９８の一方向への動きを歯車列６６によって一方向へ回転されて発電がなされるものである。しかしながら、本発明に採用し得る発電部１００および歯車列６６については、実施例１の如く、レバー(往復動部材)９８を手で握ることによって発電されるものであればよく、他の実施形態を適宜採用し得るものである。
【００４１】
シャワーヘッド５４の内部には、発電部１００で発生した電気を充電する充電部７０が設けられ、リモコン発信部６４へ安定的に電力を供給し得るようになっている。なお、この充電部７０としては、例えば、市販のニッカド充電池やニッケル水素充電池等が好適に使用される。また、充電部７０中の電気の残量を表示する装置をシャワーヘッド５４に設けて、使用者に発電の要否を知らせるようにしてもよい。
【００４２】
可撓性ホース７２の内部に収納されると共に、シャワーヘッド５４の内部で液剤供給ノズル６０と接続する液剤供給管６８は、図３に示すように、台部３８の内部において、所要数(実施例１では３つ)の液剤吸入管７４,７４と分岐的に連通している。すなわち、液剤供給管６８は、台部３８の内部で一方の端部が各液剤吸入管７４と連通すると共に、蛇口４０を介して可撓性ホース７２の内部に収納されて、他端部が液剤供給ノズル６０と接続している。なお、この液剤供給管６８としては、可撓性ホース７２の内部に挿通されることから、柔軟性を有したビニール管等が好適である。
【００４３】
夫々の液剤吸入管７４,７４は、台部３８の内部に配置されて所望の液剤が貯留される複数(実施例１では３つ)の液剤貯留タンク４２,４２の夫々と連通接続している。また、各液剤貯留タンク４２,４２から導出した液剤吸入管７４は、後述の切替弁７６によって、液剤供給管６８と分岐的に接続されている。
【００４４】
液剤貯留タンク４２,４２は、内部に所要量の液剤を貯留し得るようボトル状に形成されて、台部３８の底部に複数載置されるようになっている。なお、実施例１においては、液剤としてボディーソープ、シャンプーおよびリンスの３種が、夫々、図１の左・中・右側に配設された液剤貯留タンクＡ〜Ｃ４２に貯留されているものとする。そして、各種の液剤は、操作選択ボタンＡ〜Ｃ６２と対応付けられる。但し、各液剤貯留タンク４２に貯留する液剤の種類としては、実施例１に限定される訳ではない。従って、例えば、リンスに換えてコンディショナーを貯留したり、タイプの異なるシャンプーを貯留したりしてもよい。また、液剤貯留タンク４２,４２の配設数についても、実施例１に限定されず、その数を増減させても構わない。すなわち、シャワーシステム３０の設置箇所や目的に合わせて、液剤貯留タンク４２,４２の配設数を増減させて、液剤の種類を変更してもよい。また、各液剤貯留タンク４２に残量検知手段(図示せず)を配設して、タンク中の液剤の残量を検知し得るようにしてもよい。なお、液剤貯留タンク４２,４２への液剤の補給・交換は、扉４６を開放させて、開口３８ａを介して行なわれる。
【００４５】
液剤供給管６８と各液剤吸入管７４との分岐部には、夫々の液剤貯留タンク４２,４２から導出した液剤吸入管７４,７４と液剤供給管６８との連通を選択的に切り替える切替弁７６が配設されている。この切替弁７６は、選択された液剤が貯留された液剤貯留タンク４２から導出する液剤吸入管７４と液剤供給管６８とを連通させる。そして、これと同時に、他の液剤吸入管７４,７４との連通を遮断するよう構成されている。なお、この切替弁７６は、台部３８の内部に配設された制御手段８０によって作動制御される。
【００４６】
液剤供給管６８の途中に設けられるポンプ７８は、切替弁７６で切替えられて連通する側の液剤吸入管７４から液剤貯留タンク４２,４２中の液剤を吸引して液剤供給ノズル６０に供給するよう構成されている。また、ポンプ７８は制御手段８０と電気的に接続されており、操作指令に基づき作動制御されるようになっている。なお、このポンプ７８としては、公知のポンプ機構を採用し得るが、電力によって液剤を吸引する電動ポンプが好適に使用される。
【００４７】
台部３８上の所要位置には、リモコン発信部６４からの各種操作指令を受信して、制御手段８０にその操作指令を送るリモコン受信部８２が設けられている。すなわち、このリモコン受信部８２は、リモコン発信部６４から発信された各種操作指令(すなわち、液剤の選択、供給、供給量)を受信すると共に、制御手段８０に操作指令を送るよう構成されている。そして、リモコン受信部８２から操作指令を受けた制御手段８０は、この指令に応じて切替弁７６およびポンプ７８を個別に作動制御するよう構成される。なお、このリモコン受信部８２としては、リモコン発信部６４と同じく、赤外線レシーバや電磁波レシーバ等の従来公知のものが採用し得る。また、リモコン受信部８２の配設位置としては実施例１に限定されず、リモコン発信部６４からの各種指令を受信し得るならば、浴室３２内の何れの箇所であってもよい。
【００４８】
湯水を供給する湯水供給管５２は、洗浄弁８４を介して液剤供給管６８と連通する洗浄水供給管８６が分岐されている。この洗浄弁８４は、異なる種類の液剤を使用するに先立ち、制御手段８０によって開放されるようになっている。そして、湯水供給管５２からの湯水が液剤供給ノズル６０に供給されて、ノズル洗浄が行なわれる。
【００４９】
(実施例１の作用)
次に、実施例１に係るシャワーシステム３０の作用について説明する。なお、このシャワーシステム３０は、当初、「ボディーソープ」が選択されているものとする。すなわち、液剤供給管６８は、ボディーソープが貯留された液剤貯留タンクＡ４２と連通した状態にある。
【００５０】
例えば、使用者が洗髪をするため、シャンプーが貯留された液剤貯留タンクＢ４２に対応する操作選択ボタンＢ６２を所定時間押したとする。するとリモコン発信部６４は、この操作指令(ボディーソープの選択・供給開始・供給量)を無線送信し、これをリモコン受信部８２が受信する。この時、充電部７０には発電部１００で生じた電気が充電されているので、リモコン発信部６４は電力が不足することなく安定的に作動し得る。従って、リモコン発信部６４を作動させる度に発電を行なう必要がない。
【００５１】
操作指令を受信したリモコン受信部８２は、この操作指令を制御手段８０に送り、制御手段８０は異なる液剤が選択されたことを判断して洗浄弁８４を開放させる。これにより、湯水が洗浄水供給管８６を介して液剤供給管６８へ供給されて、液剤供給ノズル６０が洗浄される。すなわち、前回の使用で液剤供給ノズル６０に残留していたボディーソープは洗浄水によって流されるので、シャンプーが供給される際に該ボディーソープが混ざることがない。
【００５２】
洗浄水によるノズル洗浄が行われると、制御手段８０は、切替弁７６を作動させて、液剤貯留タンクＡ４２から導出する液剤吸入管７４と液剤供給管６８との連通を遮断させる。これと同時に、シャンプーを貯留する液剤貯留タンクＢ４２の液剤吸入管７４を開放させる。この時、液剤貯留タンクＣ４２における液剤吸入管７４は閉成したままである。この状態で、制御手段８０は、使用者が操作選択ボタンＢ６２を押し続けた時間に応じて、ポンプ７８に液剤貯留タンクＢ４２からシャンプーを吸引させる。そして、吸引されたシャンプーは、液剤供給ノズル６０から供給される。
【００５３】
また、洗髪が終了し、引き続きリンスをするため使用者が操作選択ボタンＣ６２を所要時間押した際には、リモコン発信部６４から操作指令が発信される。この指令を受信したリモコン受信部８２は、制御手段８０に操作指令を伝達する。これを受けた制御手段８０は、異なる液剤が選択されたことで、洗浄弁８４を開放させてノズル洗浄を行なうと共に、切替弁７６を作動させて、液剤供給タンクＣ４２に接続された液剤吸入管７４を開放させる。そして、ポンプ７８が作動して、使用者が操作選択ボタンＣ６２を押した時間に応じた量のリンスが液剤供給ノズル６０から供給される。
【００５４】
なお、使用によりリモコン発信部６４の作動電力が不足した際には、レバー９８を手で握る操作を反復して発電部１００に電気を発生させればよい。すなわち、レバー９８をシャワーヘッド５４側へ回動させると、ラック状部材９８ａが歯車１０２を回転させ、これによりワンウェイクラッチ１０６が回転する。そして、外輪１０６ｂによって発電部１００の回転子１００ａが一方向に回転されて電気が発生し、この電気は充電部７０へ送られ充電される。その後、レバー９８は自ら復帰するが、歯車列６６によって、回転子１００ａがこの復帰動作によって回転されることはない。すなわち、発電部１００をシャワーヘッド５４に配設することで、外部の電源からリモコン発信部６４に電力を供給する電気配線を施す必要がなく安全である。また、この発電部１００は、レバー９８を手で握るだけで発電するので、使用者はシャワーヘッド５４を持ったまま片手で容易に発電を行ない得る。
【００５５】
以上に説明したように、実施例１に係るシャワーシステム３０によれば、操作選択ボタン６２によって選択された各種の操作指令は、リモコン発信部６４からリモコン受信部８２へ無線送信される。従って、操作選択ボタン６２と制御手段８０とを結ぶ電気配線を施す必要がなく、使用者は感電の畏れなく安心して使用することができる。また、前記ポンプ７８は液剤の供給時にのみ作動するので、電気代等のランニングコストが嵩むことがない。
【００５６】
実施例１のシャワーシステム３０は、複数種類の液剤を選択的に供給し得るよう構成したので、用途に合わせて様々な液剤を供給でき、液剤の種類を容易に変更・増減させることが可能となる。また、操作選択ボタン６２がシャワーヘッド５４に設けられているので、使用者はこれらの操作を片手で容易に行ない得る。
【００５７】
実施例１のシャワーシステム３０によれば、液剤供給ノズル６０に連通する液剤供給管６８は、可撓性ホース７２の内部に収納されるので、液剤供給管６８が外部に露出して邪魔になることがない。また、供給し得る液剤の種類を増やしても、可撓性ホース７２に収納される液剤供給管６８の数は１つなので、液剤の種類をいくらでも増やすことが可能となる。更に、液剤貯留タンク４２,４２等を台部３８の内部に配設したので、浴室３２がスッキリして、使用スペースを有効に活用できる。
【００５８】
(実施例１の変更例)
実施例１においては、発電部１００を発電させる往復動部材としてレバー９８を採用した場合を示したが、この往復動部材としては、これに限られるものではない。すなわち、使用者が手で握ることで往復動して、発電部１００を回転させるものであればよい。従って、例えば、レバー９８に換えて、手で握ることでシャワーヘッド５４側へ押し込まれるプッシュ部材を設け、このプッシュ部材の往復動によって、発電部１００を回転させるようにしてもよい。この場合、プッシュ部材は実施例１と同様に、バネ等の弾性力によって自動的に復帰するよう構成される。また、このプッシュ部材には、実施例１のラック状部材９８ａの如きラックが設けられ、歯車列６６を介して発電部１００が回転される。
【００５９】
また、実施例１においては、所望の液剤を供給するための各種操作指令を選択する操作選択手段として操作選択ボタン６２を採用した場合を示した。しかしながら、液剤貯留タンク４２,４２の配設数に応じた切替接点を有する操作選択スイッチを、操作選択手段として採用してもよい。すなわち、各液剤に対応する操作選択スイッチをシャワーヘッド５４に配設し、使用者が該スイッチを捻ることで、所望の液剤が選択されるように変更してもよい。この場合、選択した液剤の供給を開始するには、液剤供給ボタンや液剤供給レバー等を、別途シャワーヘッド５４に設けてもよい。
【００６０】
更に、実施例１では、液剤貯留タンク４２,４２等を台部３８の内部に収納した場合を示したが、例えば、シャワーシステム３０を洗面所に配設する場合、液剤貯留タンク４２,４２等を洗面台の内部に収納することも可能である。更に、シャワーシステム３０を配設する場所に別途タンク配置部を設けて、該配置部に液剤貯留タンク４２,４２等を収納してもよい。
【実施例２】
【００６１】
次に、実施例２に係るシャワーシステムについて、以下説明を行なう。なお、実施例２については、実施例１との変更点のみ説明を行なって、同一の構成については説明を省略する。また、実施例２のシャワーシステムは、ホテル・旅館や公衆浴場、理容店等の複数の洗い場・洗髪台等を備えた施設において、特に好適に実施されるものである。
【００６２】
図６は、実施例２に係るシャワーシステム９０を示す概略説明図である。シャワーシステム９０が設けられる浴場９２は、複数の洗い場９２ａ,９２ａが並列的に設けられている。この浴場９２の外部の１箇所に、液剤貯留タンク４２,４２、切替弁７６、ポンプ７８および制御手段８０からなる液剤供給機構９４が集中的に配置されている。また、洗い場９２ａ,９２ａの夫々に配設されるシャワーヘッド５４には、実施例１と同様に、液剤供給ノズル６０、操作選択ボタン６２、レバー９８、発電部１００、リモコン発信部６４等が配設されている。更に、各洗い場９２ａの台部３８には、夫々リモコン受信部８２が設けられている。すなわち、実施例２に係るシャワーシステム９０は、液剤供給機構９４を浴場９２の外部に集中配置し、液剤供給機構９４から複数の洗い場９２ａ,９２ａへ所望の液剤を供給し得るようにしたものである。
【００６３】
図６に示すように、各液剤供給ノズル６０に連通する液剤供給管６８は、夫々が前記ポンプ７８に接続されている。また、各液剤供給管６８の所要位置に開閉弁９６が設けられ、操作指令に応じて液剤供給管６８を開閉させるようになっている。すなわち、この開閉弁９６,９６は制御手段８０に作動制御されて、各洗い場９２ａの操作指令に基づき開閉されるようになっている。従って、例えば、図６における中央の洗い場９２ａから液剤の供給指令が出されたとする。すると、制御手段８０は対応する開閉弁(すなわち、中央の開閉弁)９６のみを開放させると共に、左右の開閉弁９６,９６については閉成させるようになっている。
【００６４】
また、制御手段８０は、個々のリモコン受信部８２,８２と電気的に接続されており、各リモコン受信部８２から送られる操作指令に応じて切替弁７６およびポンプ７８を作動制御するよう構成されている。また、制御手段８０は、個々の洗浄弁８４,８４を制御して、実施例１の如く、各液剤供給ノズル６０の洗浄を行ない得るようになっている。
【００６５】
(実施例２の作用)
次に、実施例２に係るシャワーシステム９０の作用について説明する。なお、前記各液剤供給管６８は、当初、「シャンプー」が貯留された液剤貯留タンクＢから導出する液剤吸入管７４と接続しているものとする。
【００６６】
例えば、図６における中央の洗い場９２ａの使用者が、「ボディーソープ」を供給するため操作選択ボタンＡ６２を押した場合、リモコン発信部６４がこの操作指令をリモコン受信部８２へ無線送信する。これを受信したリモコン受信部８２は操作指令を制御手段８０へ送り、制御手段８０は中央の洗浄弁８４のみを開放させてノズル洗浄を行なう。ノズル洗浄後、制御手段８０は切替弁７６を制御して、液剤貯留タンクＡ４２から導出する液剤吸入管７４と各液剤供給管６８とを連通させる。これと同時に、制御手段８０は、液剤貯留タンクＢ４２から導出する液剤吸入管７４を閉成させる。そして、制御手段８０はポンプ７８を作動させて、使用者が操作選択ボタンＡ６２を押した長さに応じた量の「ボディーソープ」が吸引される。これと同時に、制御手段８０は中央の開閉弁９６を開放させると共に、左右の開閉弁９６,９６を閉成させる。そして、中央の洗い場９２ａにおける液剤供給ノズル６０からボディーソープが供給される。この時、左右の洗い場９２ａ,９２ａの開閉弁９６,９６は閉成しているので、ボディーソープが供給されることはない。
【００６７】
すなわち、実施例２に係るシャワーシステム９０は、実施例１の効果に加えて、液剤供給機構９４を外部の１箇所に集中的に配置したので、液剤供給機構９４を複数の洗い場９２ａ,９２ａで共有することができる。従って、各洗い場９２ａ毎に液剤供給機構９４を設ける場合に比べて、敷設コストが低廉となる。更に、液剤貯留タンク４２,４２は１箇所に設けられているので、液剤の補給・交換も効率的に行ない得る。
【００６８】
なお、各シャワーヘッド５４において発電を行なう場合には、実施例１と同様に、前記レバー９８を手で握る操作を反復させるだけでよい。従って、各洗い場９２ａの使用者は、シャワーヘッド５４を持ったまま、片手で容易に発電させることができる。
【図面の簡単な説明】
【００６９】
【図１】実施例１に係るシャワーシステムのシャワーヘッドを示す斜視図である。
【図２】実施例１に係るシャワーシステムが配設された浴室を示す概略平面図である。
【図３】図２のIII−III線断面図である。
【図４】実施例１のシャワーヘッドの内部を示す断面図である。
【図５】実施例１のシャワーヘッドの内部を拡大して示した断面図である。
【図６】実施例２に係るシャワーシステムを示す説明図である。
【図７】従来のシャワーシステムを示す斜視図である。
【図８】従来のシャワーシステムにおける液剤供給管の構成を示す説明図である。
【符号の説明】
【００７０】
４２ 液剤貯留タンク, ５２ 湯水供給管, ５４ シャワーヘッド
６０ 液剤供給ノズル, ６０ａ 開口部, ６２ 操作選択ボタン(操作選択手段)
６４ リモコン発信部, ６６ 歯車列, ６８ 液剤供給管, ７０ 充電部
７２ 可撓性ホース, ７４液剤吸入管, ７６ 切替弁, ７８ ポンプ
８０ 制御手段, ８２ リモコン受信部, ８４ 洗浄弁, ８６ 洗浄水供給管
９６ 開閉弁, ９８ レバー(往復動部材), １００ 発電部
【図１】
2006239017.tif 000003
【図２】
2006239017.tif 000004
【図３】
2006239017.tif 000005
【図４】
2006239017.tif 000006
【図５】
2006239017.tif 000007
【図６】
2006239017.tif 000008
【図７】
2006239017.tif 000009
【図８】
2006239017.tif 000010